(57)【要約】【課題】保温性及び保湿性を損なうことなく、装着者が周囲を視認することが可能で、かつ繰り返し使用することが可能な頭部遮蔽カバーを提供する。【解決手段】不織布製の頭部遮蔽カバーであって、該頭部遮蔽カバーは装着者の顔面および側頭部に接する前側面部、および装着者の後頭部に接する後側面部を少なくとも有し、該前側面部はその一部が切開された開放部を有し、該開放部の面積は前記した前側面部の面積の１／３以下である。【選択図】図１
2020130768.tif 000002
【特許請求の範囲】
【請求項１】
不織布製の頭部遮蔽カバーであって、該頭部遮蔽カバーは装着者の顔面および側頭部に接する前側面部、および装着者の後頭部に接する後側面部を少なくとも有し、該前側面部はその一部が切開された開放部を有し、該開放部の面積が前記した前側面部の面積の１／３以下であることを特徴とする頭部遮蔽カバー。
【請求項２】
前記した頭部遮蔽カバーの開放部を、透視性を有するシートを脱着可能に付設して被覆することを特徴とする請求項１に記載の頭部遮蔽カバー。
【請求項３】
前記した透視性を有するシートが、前記した開放部近傍に形成された切り込み部に差込まれて脱着可能に付設されることを特徴とする請求項２に記載の頭部遮蔽カバー。
【発明の詳細な説明】
【技術分野】
【０００１】
本発明は、睡眠時において好適に使用される頭部遮蔽カバーに関する。
【背景技術】
【０００２】
従来、人は気温の低い場所、あるいは湿度の低い場所で睡眠、仮眠等を行うと、なかなか寝付けない、あるいは睡眠が途中で阻害されるなど、眠りが浅くなることがある。あるいは感冒等の上気道（鼻、副鼻腔、アデノイド、へんとう、咽頭等）における急性炎症に罹患しやすくなることが一般に指摘されている。
【０００３】
冬季など気温の低い環境下で睡眠、仮眠を行う場合には、寝室等を暖房機器や調湿機器等により適当な温湿度に調整し睡眠環境の改善を図ることで、睡眠の質の向上や感冒予防をすることが一般に行われる。
【０００４】
暖房機器や調湿機器等によって適当な温湿度に調整することは、電気、ガス、および石油等の電燃料を使用することとなるが、発電や暖房のために使用される燃料から排出されるガスには、人体に有害な硫黄酸化物、窒素酸化物、粒子状物質が多く含まれ、近年は冬季の大気汚染が地球規模で深刻な社会問題として提起されている。また前記した暖房機器や調湿機器等の使用は、経済的な観点からも好ましくない。
【０００５】
電燃料を使用せず、睡眠環境を適当な温湿度に調節する簡易的な方法として、マスクを着用することが知られている。マスクを装着して睡眠、仮眠等を行うと、鼻口腔内の乾燥を低減することが可能となる。しかしマスクを装着すると、空気の透過量が低下し、息苦しくなるなど睡眠に少なからず障害を与えることがある。また耳にゴム類を掛け装着するため、顔面特に頬部にゴム類が接触し、長時間の装着では顔面にゴム跡が残ることも問題となることがあった。他方、寝室等の私的空間の環境下ではなく、不特定多数の衆人環視の環境下、例えば飛行機や電車、バスといった公共交通機関の中で睡眠、仮眠を行うことは、周囲の明るさによる入眠阻害や、寝顔を他人に見られるといった羞恥心からの入眠阻害を生じさせていた。
【０００６】
このような課題を解決するために、実用新案登録第３１７４０４２号公報（特許文献１）、特開２０１５−１８８５９５号公報（特許文献２）等では、頭部全体を覆う不織布又は紙製の頭部遮蔽カバーが提案されている。この方法によれば、マスクのように息苦しくなったり、あるいは寝顔を周囲の衆人に見られたりすることは無い。
【０００７】
しかしながら、この頭部全体を覆う頭部遮蔽カバーでは、特に公共交通機関での使用においては、装着時に周囲が見えないことで緊急時にとっさに反応できないという不安があるとの指摘があった。このような問題については、例えば装着時に眼の部分に相当する部位に開放部を設けることで解消できるが、かかる開放部は遮蔽カバー内外の空気の流動を招くため、頭部遮蔽カバーが元来の目的とする保湿性や保温性等の機能を低下させるとの二律背反的な問題があった。また前記した開放部を有する頭部遮蔽カバーは、洗濯した場合のダメージが大きく、繰り返して使用できる耐久性を有さないとの問題があった。
【先行技術文献】
【特許文献】
【０００８】
【特許文献１】実用新案登録第３１７４０４２号公報
【特許文献２】特開２０１５−１８８５９５号公報
【発明の概要】
【発明が解決しようとする課題】
【０００９】
本発明は、特に睡眠時に使用する、頭部から顔面を経て首位置までを緩やかに被覆し、その内外の空気及び光の透過を制限せしめる頭部遮蔽カバーに関し、保温性及び保湿性を損なうことなく、装着者が周囲を視認することが可能な頭部遮蔽カバーを供給することを課題とする。また使用後に洗濯しても、繰り返して使用可能な耐久性を有する頭部遮蔽カバーを提供することを課題とする。
【課題を解決するための手段】
【００１０】
本発明の上記目的は以下の発明によって達成される。
（１）不織布製の頭部遮蔽カバーであって、該頭部遮蔽カバーは装着者の顔面および側頭部に接する前側面部、および装着者の後頭部に接する後側面部を少なくとも有し、該前側面部はその一部が切開された開放部を有し、該開放部の面積が前記した前側面部の面積の１／３以下であることを特徴とする頭部遮蔽カバー。
（２）上記した頭部遮蔽カバーの開放部を、透視性を有するシートを脱着可能に付設して被覆することを特徴とする、上記（１）に記載の頭部遮蔽カバー。
（３）上記した透視性を有するシートが、上記した開放部近傍に形成された切り込み部に差込まれて脱着可能に付設されることを特徴とする、上記（２）に記載の頭部遮蔽カバー。
【発明の効果】
【００１１】
本発明によって、保温性及び保湿性を損なうことなく、装着者が周囲を視認することが可能な頭部遮蔽カバーを供給することができる。また使用後に洗濯しても、繰り返して使用可能な耐久性を有する頭部遮蔽カバーを提供することができる。
【図面の簡単な説明】
【００１２】
【図１】頭部遮蔽カバーの一例の概略を表す三面図である。
【図２】透視性を有するシートを脱着可能に付設するための切り込み部を有する頭部遮蔽カバーの側面図である。
【発明を実施するための形態】
【００１３】
以下に本発明を詳細に説明する。
【００１４】
本発明の頭部遮蔽カバーに使用する不織布について説明する。本発明の頭部遮蔽カバーを構成する不織布は、木材パルプと有機繊維からなり、湿式抄紙法により製造される不織布が好ましい。湿式抄紙法により製造される不織布は、均一な地合いが得られるため、本発明において好適である。
【００１５】
本発明において用いられる木材パルプは、ＮＢＫＰ、ＬＢＫＰ、ＮＢＳＰ、ＬＢＳＰその他いずれの種類のパルプでも限定はされないが、目詰め・強度の点からＮＢＫＰが好ましい。また濾水度は、特に限定しないが１００ｍｌ以上が好ましい。濾水度が１００ｍｌ未満であると湿式抄紙法による原布シート形成の段階で目が詰まってしまうことにより、濾水性が悪くなることがあり、均一な地合いが得られ難く抄造性の点から好ましくない場合がある。
【００１６】
本発明において用いられる有機繊維としては、ポリエチレンテレフタレート、ポリブチレンテレフタレート、ポリプロピレン、ポリエチレン、ポリスチレン又はこれらポリマーの変性ポリマーおよびコポリマー、アクリル繊維、ポリアクリロニトリル繊維、ポリビニルアルコール繊維、ナイロン繊維、ウレタン繊維、レーヨン繊維、再生セルロース繊維、溶剤紡糸セルロース繊維やコラーゲン、アルギン酸、キチン質等を溶液にしたものを紡糸した繊維等が挙げられる。
【００１７】
これらの有機繊維の繊度（繊維径）は、０．１〜６．０デシテックスであることが好ましく、より好ましくは０．６〜３．３デシテックスである。繊度が０．１デシテックスより細いと抄紙性が悪く地合いが悪くなる傾向があり、またコストアップにもなる。一方、６．０デシテックスより太いと平滑性が悪くなり、頭部遮蔽カバー内部の明るさの調整が困難となる場合がある。繊維長は２〜２０ｍｍが好ましく、より好ましくは３〜１０ｍｍである。繊維長が２ｍｍを下回ると湿式抄紙でワイヤーから繊維が抜けやすく歩留まりが低下する場合がある。一方、繊維長が２０ｍｍを超えるとスクリーンでの詰まり等が発生することがある。
【００１８】
本発明の頭部遮蔽カバーを構成する不織布は、上記した木材パルプと有機繊維以外にも、例えば木綿パルプ、ワラパルプ、竹パルプ、エスパルトパルプ、バガスパルプ、麻パルプのほか、ガラス繊維や炭素繊維等の無機繊維を含んでいても良い。その場合、これら他の繊維の割合は、前記した木材パルプと有機繊維の合計質量に対して、１０質量％以下であることが好ましい。
【００１９】
本発明の頭部遮蔽カバーに用いられる不織布における原布シートの製造方法は、湿式抄紙法が好ましい。湿式抄紙法は木材パルプ以外の有機繊維を単独または組み合わせて木材パルプと混合して水に分散させスラリーを調節する。スラリーは長網、円網または傾斜ワイヤー式抄紙機を用いて抄造される。
【００２０】
抄造の際に配合する薬品としては、湿紙状態での断紙対策として湿潤強度剤やヤンキードライヤーからの剥離を安定させるため、内添サイズ剤を使用しても良い。
【００２１】
原布シートを形成する繊維として、木材パルプ／有機繊維が質量比で１０／９０〜８０／２０の割合であることが好ましい。木材パルプは、水素結合を利用した原布シートの強度向上といった効果を発現する。また、木材パルプ以外の有機繊維は、布風の風合いを発現させ、通気性を良好にする。上記質量比において、木材パルプと有機繊維を混合することで、布風の風合いをもったまま優れた強度を有する頭部遮蔽カバーを得ることができる。
【００２２】
本発明の頭部遮蔽カバーに用いられる不織布は、前記した原布シートに水分散有機重合物と顔料を付与した不織布であることが好ましい。これによりカバー内部の明るさを容易に調整することが可能となる。カバー内部の明るさの調整には、頭部遮蔽カバーを構成する不織布に対して任意の図柄を印刷し、透過光の遮光性を付与することが好ましく、上記した、原布シートに水分散有機重合物と顔料を付与した不織布は、十分な量の印刷インクを保持することが可能となる。すなわち原布シートに水分散有機重合物と顔料を付与した不織布は、透過光を十分に遮蔽することが可能であるため、好ましい。
【００２３】
本発明の頭部遮蔽カバーに用いられる不織布に使われる水分散有機重合物は、アクリル酸エステル共重合体、エチレン酢ビポリマー、メチルメタアクリレートラテックス、スチレンブタジエンラテックス、アクリロニトリルブタジエンラテックス等が挙げられる。中でも透過光の遮蔽性と風合い、および通気性等を考慮し、アクリル酸エステル共重合体を使用することが好ましい。
【００２４】
本発明において顔料は、水分散有機重合物だけでは得られなかった透過光の遮蔽性を更に向上させるものであり、顔料としては炭酸カルシウム、シリカ、酸化チタン、サチンホワイト等が挙げられるが、炭酸カルシウムがより好ましい。これら顔料の粒子径は、不織布の平滑性を高めるために５０μｍ以下が好ましく、より好ましくは２０μｍ以下であり、１０μｍ以下であることが特に好ましい。顔料粒子径が５０μｍを超えると水分散有機重合物と顔料の混合液中で顔料が沈降して塗布性が悪化し、均一な表面性が保たれていないことがある。
【００２５】
水分散有機重合物／顔料の質量比率は２０／８０〜９５／５が好ましく、より好ましくは３０／７０〜８０／２０である。水分散有機重合物の質量比率が２０／８０より低くなると、シート表面の繊維接着性や顔料の接着性が低下し、繊維や顔料の離脱しやすくなる原因となることがある。また、水分散有機重合物の質量比率が９５／５を超えると透過光を十分に遮蔽できなくなる場合がある。
【００２６】
本発明の頭部遮蔽カバーに用いられる不織布において、水分散有機重合物と顔料の付着量は、不織布全質量の２０〜６０％が好ましく、より好ましくは２５〜５０％である。付着量が２０％よりも低いと、透過光を十分に遮蔽できなくなる場合がある。一方、６０％を超えると水分散有機重合物の接着により不織布独特の布風の風合いが損なわれ、通気性が悪くなることがある。
【００２７】
これらの水分散有機重合物と顔料の混合液の原布シートへの付与方法は、特に限定されないが、原布シートに機械的力が比較的加わらず原布シート面を傷めないことから、浸漬法によるサイズプレスやタブサイズプレス等で含浸処理されることが好ましい。含浸処理によって製造された不織布は、原布シート内部にまで水分散有機重合物と顔料とが侵入するため、表裏いずれの面に図柄を印刷した場合であっても透過光を十分に遮蔽することができる。顔料と水分散有機重合物は不織布の厚み方向に均一に存在しているのではなく、不織布表面において顔料の存在比率が高くなる。理由は定かで無いが、顔料の移動度が水分散有機重合物より低いことによると思われる。顔料は布風の風合いを阻害するが、このように、顔料の存在比率が不織布内部と表面とで異なることから、本発明の頭部遮蔽カバーに用いられる不織布においては布風の風合いを保つことが可能となる。また、表面の顔料が透過光の遮蔽に対して有効に働くという効果も生み出す。
【００２８】
乾燥方式は本発明の効果を阻害しない範囲であれば特に限定されない。しかし、含浸処理直後にシリンダードライヤーにて乾燥すると、水分散有機重合物の粘着性によりドライヤー汚れが発生し、長時間運転すると水分散有機重合物の粕が不織布に付着する可能性がある。従って、赤外線乾燥やエアードライヤー等の比接触式にて水分散有機重合物と顔料の混合液を乾燥させて、シートの粘着性を低減させた後、シリンダードライヤーによる接触式の乾燥で平滑性を出すことがより好ましい。
【００２９】
本発明の頭部遮蔽カバーに用いられる不織布は、密度が０．２〜０．５５ｇ／ｃｍ３の範囲であることが好ましい。該密度は、原布シートの繊維の種類、配合比率、坪量や厚みの調整、水分散有機重合物と顔料の付着量、水分散有機重合化合物／顔料質量比率等で適宜調整することができる。密度が０．２ｇ／ｃｍ３よりも小さくなると、透過光を十分に遮蔽できなかったりする場合がある。密度が０．５５ｇ／ｃｍ３を超えると、紙風の風合いとなって、布風の風合いが失われて通気性が低下する傾向を示す。
【００３０】
本発明の頭部遮蔽カバーにおいて用いられる不織布のフラジール通気度は、６０ｍｌ／ｃｍ２／ｓｅｃ以下が好ましく、より好ましくは５０ｍｌ／ｃｍ２／ｓｅｃ以下である。ここでフラジール通気度は、ＪＩＳ−Ｌ１０９６に記載のＡ法フラジール計試験機で規定される通気度をいう。遮光性を付与するにあたり不織布には任意の図柄が印刷されるが、フラジール通気度が６０ｍｌ／ｃｍ２／ｓｅｃよりも高いと、不織布が吸引されづらくなり、搬送性が悪化することがある。フラジール通気度は原布シートの繊維の種類、配合比率、坪量や厚みの調整、水分散有機重合物と顔料の付着量、水分散有機重合物／顔料質量比等で適宜調整することができる。
【００３１】
本発明の頭部遮蔽カバーは上記した不織布を用いて作られる。本発明の頭部遮蔽カバーの構成（立体構造を形成する部分の構成）としては、装着者の顔面および側頭部に接する前側面部、および装着者の後頭部に接する後側面部を少なくとも有していれば良い。また本発明の頭部遮蔽カバーの大きさは、装着者の頭部から顔面を経て首位置までを緩やかに被覆できる大きさであれば、特に制限されない。
【００３２】
上記した頭部遮蔽カバーの上部、すなわち装着者の頭頂部に面する位置は、上記した前側面部と後側面部に加えて更に天面部を設けることで、あるいは上記した前側面部と後側面部が接合されることで、閉じられていることが好ましい。これにより、保温性及び保湿性により優れた頭部遮蔽カバーを得ることができる。
【００３３】
図１は本発明の頭部遮蔽カバーの一例の概略を表す三面図であり、装着者の頭頂部に面する位置は、前側面部と後側面部が接合されることで閉じられている。図１の三面図では、頭部遮蔽カバーを、装着者の後頭部側から見た後側面図、装着者の側面から見た側面図、および装着者の上方から見た天面図を示した。頭部遮蔽カバー１は前側面部２と後側面部３と、必要に応じて設けられる天面部で構成され、前側面部は、その一部が切開された開放部４を有する。また図示はしていないが、頭部遮蔽カバーの下部には、装着者が頭部を挿入するための開口部が設けられている。
【００３４】
本発明の頭部遮蔽カバーを作製する際には、前記した不織布を任意の形状に切り取り、該不織布を接合させることで、頭部遮蔽カバーが得られる。具体的には、装着者の顔面および側頭部に接する前側面部と後頭部に接する後側面部を構成する不織布を任意の形状に切り出し、これらを任意の位置で接合させることで得られる。あるいは装着者の顔面および側頭部に接する前側面部と、後頭部に接する後側面部、および装着者の頭頂部に面する天面部を有する形状のシートを切り出し、これらを任意の位置で接合させることで得られる。なお前記した前側面部は二箇所の側面部を接合させて得ても良いし、一枚の前側面部を折り曲げて形成することも可能である。不織布を接合させるには、糊、接着剤を用いても良いし、糸を用いて縫い合わせても良い。更に、接着部分を加熱して有機繊維を融着させることも可能である。
【００３５】
本発明の頭部遮蔽カバーにおいて前側面部は、その一部が切開された開放部を有し、該開放部の面積が前記した前側面部の面積の１／３以下とする。開放部をこれよりも大きくすることは、保温性及び保湿性を著しく低減させるため、望ましくない。更に使用後に洗濯した後に、繰り返して使用可能な耐久性を有する頭部遮蔽カバーを提供することができなくなるので、望ましくない。前記した開放部は、前側面部を構成する不織布を任意の形状に切り出す際に、あるいは、切り出した不織布の任意の位置を接合してカバー状とし、これを折りたたんだ後に、装着者の眼の近傍位置に相当する部分を切開し形成することが好ましい。切開する方法としてはカッターナイフや鋏等の刃物による方法、トムソン加工等の刃物による打ち抜きによる方法、レーザーカッター等のレーザー光による方法等がある。開放部の形状は、直線状、曲線状、円、半月形など特に限定されない。
【００３６】
また切開する際に、開放部の天面部側の辺の一部または全部を残して切開すれば、使用時にこの部分を折り曲げることで庇として利用することも可能であるし、あるいは切開した箇所を開放部とせずに、開放部を有さない頭部遮蔽カバーとして使用することが可能であり、使用者の選択肢が広がるため好ましい。
【００３７】
なお本発明では、開放部の面積が前記した前側面部の面積の１／３以下とするが、該開放部を２箇所に設けた場合（例えば左右の眼の近傍にそれぞれ開放部を設けた場合）については、この開放部の合計の面積が前側面部の面積の１／３以下であることが必要である。また開放部を、複数の直線状あるいは曲線状の切開部分が集合した、ストライプ状の開放部とした場合、あるいは複数の穴が集合したメッシュ状の開放部とした場合、これらの合計の面積を開放部の面積とする。
【００３８】
本発明の頭部遮蔽カバーは、上記した頭部遮蔽カバーの開放部を、透視性を有するシートを脱着可能に付設して被覆することが好ましい。これにより装着者は、保温性及び保湿性にとりわけ優れた頭部遮蔽カバーが得られ、かつ周囲を良好な視認性にて視認することができる。なお本発明において透視性を有するシートとしては、全光線透過率は６０％以上であることが好ましく、特に好ましくは７０％以上であり、ヘイズ値が１０％以下であるシートが好適であり、例えばポリエチレンテレフタレート、ポリエチレンナフタレート、硝酸セルロース、ポリカーボネート、ポリプロピレン、ポリ塩化ビニル、ポリ塩化ビニリデン等の樹脂フィルムが例示される。また該透視性を有するシートは、染料等の色剤により着色されていても良く、あるいは金属類を蒸着されハーフミラー状に加工されたシートであっても良い。かかるシートの厚みは特に限定されないが、５〜５００μｍであることが好ましく、頭部遮蔽カバーへの装着性の観点から５０〜２００μｍであることがより好ましい。
【００３９】
頭部遮蔽カバーの開放部に、前記した透視性を有するシートを脱着可能に付設して被覆する方法としては、透視性を有するシートを、開放部の一部に設けられた切り込み部に差込んで脱着可能に付設する方法、あるいは、透視性を有するシートを、開放部の近傍に形成された切り込み部に差込んで脱着可能に付設する方法等を例示することができる。この方法であれば、使用時以外に該頭部遮蔽カバーを折りたたんだり、あるいは洗濯する場合には、該透視性を有するシートを容易に外しておくことができ、洗濯時において該カバーと該シートの接触による双方のダメージを避け、繰り返して使用することができる。更には再装着するときにも、特別な装置、工具類が無くとも容易に装着することができる。
【００４０】
図２は、透視性を有するシートを脱着可能に付設するための切り込み部を有する頭部遮蔽カバーの側面図である。図２の右側には、開放部４の端部近傍位置に切り込み５ａおよび５ｂを有する頭部遮蔽カバーの一例を示した。また図２の左側には、開放部４の近傍位置であって、開放部４の端部より離れた位置に、複数のスリットから構成されるアスタリスク状の切り込み部５ｃを有する頭部遮蔽カバーの一例を示した。
【００４１】
前述したように、本発明の頭部遮蔽カバーは任意の図柄を印刷し、透過光の遮光性を付与することが好ましい。印刷方法としてはオフセット印刷がコスト、品質の観点から好ましいが、他の方式での印刷、例えばフレキソ印刷、スクリーン印刷、あるいは電子写真法でのトナーによる印刷やインクジェットによる印刷、昇華熱転写方式の印刷であっても良い。
【実施例】
【００４２】
本発明を実施例により更に詳細に説明する。以下、実施例に記載される部および比率は質量を基準とする。
【００４３】
（実施例１）
［原布シートの抄造］
パルパーに叩解後のＮＢＫＰカムループス（濾水度６００ｍｌ）とポリプロピレン繊維（繊維径２．２デシテックス、繊維長５ｍｍ）とレーヨン繊維（繊維径２．２デシテックス、繊維長５ｍｍ）を４５：３５：２０の配合比で水に混合分散し、円網抄紙機で抄紙した後、ヤンキードライヤーにて乾燥し２００℃で熱処理を行い坪量６３ｇ／ｍ２の原布シートを得た。
［加工］
上記原布シートに水分散有機重合物（アクリル酸エステル共重合体）６０％、顔料として炭酸カルシウム（エスカロン１５００（三共製粉（株）製、平均粒子径２．８μｍ）を４０％含有した混合液を固形分で３２ｇ／ｍ２となるようにサイズプレスにて含浸加工を行い、赤外線乾燥機で予備乾燥した後、シリンダードライヤーにて乾燥して、坪量９５ｇ／ｍ２、密度０．３４２ｇ／ｃｍ３、フラジール通気度２７．８ｍｌ／ｃｍ２／ｓｅｃである不織布を得た。
【００４４】
［頭部遮蔽カバーの作製］
上記した不織布に対し、オフセット印刷により絵柄を付与し、その後、図１で示した形状に組み立て、頭部遮蔽カバーを得た。このとき該頭部遮蔽カバーの高さ（図１におけるＢ）は３５ｃｍ、奥行き（図１におけるＡ）は４０ｃｍに設定した。該頭部遮蔽カバーが有する前側面部の面積は約２６２０ｃｍ２である
【００４５】
次に、得られた頭部遮蔽カバーの装着者の顔面に相当する部分に開放部として、前側面部最高部から１２ｃｍ下側、および前側面部の最前部（前側面部の中心線）から後側面部の方向に５ｃｍの位置に中心を有する半円形状の開放部を２箇所設けた。該半円形状の開放部の半径は４．３ｃｍで弧が後側面部を向くように、市販のカッターナイフを用いて切開し、実施例１の頭部遮蔽カバーを得た。この頭部遮蔽カバーの開放部の合計面積は５８ｃｍ２であり、該開放部の面積は前記した前側面部の面積の約１／４５に相当する。
【００４６】
（実施例２）
実施例１の頭部遮蔽カバーの作製において、半径が４．３ｃｍの半円を２箇所に設けた開放部の代わりに、前側面部最高部から１２ｃｍ下側の位置を開放部の上端にして、前側面部の中心線から後側面部の方向に左右２０ｃｍ（合計４０ｃｍ）および上下方向の幅１０ｃｍの長方形と、該長方形の左右それぞれの端部に直径が１０ｃｍの半円が結合した長丸長方形の開放部を１箇所設けた以外は実施例１と同様にして、実施例２の頭部遮蔽カバーを得た。なお開放部の切開は、市販のレーザーカッター（コムネット（株）製Ｃ１８０II）を用いた。この頭部遮蔽カバーの開放部の合計面積は４７８．５ｃｍ２であり、該開放部の面積は前記した前側面部の面積の約１／５．５に相当する。
【００４７】
（実施例３）
実施例２の頭部遮蔽カバーの作製において、長丸長方形形状の長方形と円弧の接点部分の上下方向４箇所に、長さ５ｍｍの切り込みを形成した。次に透視性を有するシートとして、厚み１００μｍのポリエチレンテレフタレートフィルム（全光線透過率９１．８％、ヘイズ値０．７％）を用い、長さが４０ｃｍおよび幅１１ｃｍの長方形と、該長方形の左右それぞれの端部に直径が１１ｃｍの半円が結合した長丸長方形型のシートを作製した。該長丸長方形型のシートの端部を、前記した４箇所の切り込み部分に差込み、実施例３の頭部遮蔽カバーを得た。
【００４８】
（実施例４）
実施例２の頭部遮蔽カバーの作製において、長丸長方形形状の円弧（長丸長方形の最大幅部分）よりも、それぞれ１ｃｍ後側面部側の位置に、アスタリスク形状（一つの線分の長さは１５ｍｍ）の切り込みを都合２箇所形成した。次に透視性を有するシートとして、厚み５０μｍのポリエチレンテレフタレートフィルム（全光線透過率９１．８％、ヘイズ値０．７％）を用い、長さが４０ｃｍ、幅１１．７５ｃｍの長方形と、該長方形の左右それぞれの端部に直径が１１．７５ｃｍの半円が結合した長丸長方形型のシートを作製した。該長丸長方形型のシートの端部を、前記したアスタリスク形状の切り込み部分に差込み、実施例４の頭部遮蔽カバーを得た。
【００４９】
（比較例１）
実施例１の頭部遮蔽カバーの作製において、半径が４．３ｃｍの半円を２箇所に設けた開放部の代わりに、前側面部最高部から５ｃｍ下側の位置を開放部の上端にして、前側面部の中心線から後側面部の方向に左右２０ｃｍ（合計４０ｃｍ）および上下方向の幅２５ｃｍの長方形と、該長方形の左右それぞれの端部に直径が２５ｃｍの半円が結合した長丸長方形の開放部を１箇所設けた以外は実施例１と同様にして、比較例１の頭部遮蔽カバーを得た。この頭部遮蔽カバーの開放部の合計面積は１４９０ｃｍ２であり、該開放部の面積は前記した前側面部の面積の約１／１．７５に相当する。
【００５０】
（周囲の視認性）
実施例１〜４及び比較例１の頭部遮蔽カバーを着用し、実際に着座状態と仰臥状態で装着したところ、いずれも周囲の状況が良好に確認できた。
【００５１】
（保温性及び保湿性）
実施例１〜４及び比較例１の頭部遮蔽カバーを装着し、装着前と装着して１０分後の該頭部遮蔽カバー内の温度差を調べた。比較例１の頭部遮蔽カバーでは、室温と該頭部遮蔽カバー内の温度差は全く無かったが、実施例１の頭部遮蔽カバーでは、室温に対して２℃ほどの温度上昇が認められ、実施例２の頭部遮蔽カバーでは、室温に対して１℃ほどの温度上昇が認められた。また実施例３および実施例４の頭部遮蔽カバーでは、室温に対して５℃ほどの温度上昇が求められた。
【００５２】
（耐久性）
実施例１〜４及び比較例１の頭部遮蔽カバー（実施例３および４の頭部遮蔽カバーは、透視性を有するシートを取り除いた後）を、市販の全自動洗濯機の自動コースで洗濯し、脱水終了後に洗濯機から取り出し、選択後の頭部遮蔽カバーの状態を確認した。この結果、比較例１の頭部遮蔽カバーは、開放部周辺においてその一部が破損しており、再度使用することができなかったが、実施例１〜４の頭部遮蔽カバーでは、その後、５回の洗濯を繰り返しても破損が認められず、再使用が可能であった。
【００５３】
上記した結果から明らかなように、本発明の頭部遮蔽カバーによって、保温性及び保湿性を損なうことなく、装着者が周囲を視認することが可能で、かつ繰り返し使用することが可能な頭部遮蔽カバーを提供することができる。
【符号の説明】
【００５４】
１  頭部遮蔽カバー
２  前側面部
３  後側面部
４  開放部
５ａ、５ｂ、５ｃ  切り込み
【図１】
2020130768.tif 000003
【図２】
2020130768.tif 000004